(57)【要約】【課題】コンタクトを小さなピッチで配置することができるようにすることである。【解決手段】太陽電池ユニットの電極が接触する平板状のベース部３１の両側縁に所定方向で相対する一対の支持部３２を立ち上がるように設け、一対の支持部３２に、ダイオードの端子部を支持するスリット３２ａをそれぞれ設ける。【選択図】図４
2011082007.tif 000002
【特許請求の範囲】
【請求項１】
接続対象物の接触部が接触する平板状のベース部と、
前記ベース部の両側縁に立ち上がるように設けられ、所定方向で相対する一対の支持部とを備え、
前記一対の支持部に、電子部品の端子部を支持するスリットがそれぞれ設けられていることを特徴とするコンタクト。
【請求項２】
前記ベース部と対向するように配置され、前記ベース部に向かって弾性変形して前記接触部を前記ベース部に押圧する押圧部と、
前記ベース部の一端部と前記押圧部の一端部とを連結する連結部と、
前記押圧部が前記ベース部に向かって弾性変形したときその押圧部の他端部が係合し、その変形状態を維持させる係合部とを備え、
前記押圧部が前記ベース部に向かって弾性変形したときその押圧部の中間部が前記ベース部上の前記接触部に接触するように前記押圧部が湾曲し、
前記押圧部が、前記所定方向で分断されている
ことを特徴とする請求項１記載のコンタクト。
【請求項３】
前記ベース部上の前記接触部を目視可能にする窓が前記押圧部に設けられていることを特徴とする請求項２記載のコンタクト。
【請求項４】
他の接続対象物に圧着される圧着部を備えていることを特徴とする請求項１〜３のいずれか１項記載のコンタクト。
【請求項５】
少なくとも２つの請求項４記載のコンタクトと、それらのコンタクトを保持するハウジングとを備えていることを特徴とする接続装置。
【請求項６】
少なくとも１つの請求項１〜３のいずれか１項記載のコンタクトと、２つの請求項４記載のコンタクトと、それらのコンタクトを保持するハウジングとを備え、
前記２つの請求項４記載のコンタクトの間に、前記少なくとも１つの請求項１〜３のいずれか１項記載のコンタクトが配置されている
ことを特徴とする接続装置。
【発明の詳細な説明】
【技術分野】
【０００１】
この発明はコンタクト及びそれを備えた接続装置に関する。
【背景技術】
【０００２】
従来、端子ボックスと複数の端子板（コンタクト）とを備える太陽光発電モジュール配線用端子ボックス（接続装置）が知られている（下記特許文献１参照）。
【０００３】
端子ボックスはＡＢＳ樹脂製のボックス本体とＡＢＳ樹脂製のカバーとで構成されている。ボックス本体は上面が開口した箱状である。カバーはボックス本体の開口部にパッキンを介して装着され、ボックス本体の開口部を塞ぐ。
【０００４】
端子板は３つの端子板を一組として一体に形成され、各端子板は基片と折り返し片とを有する。基片の一端には突片が連なる。突片は基片に対してほぼ直角である。基片の中央部には立ち上げ片が形成されている。立ち上げ片は基片に対してほぼ直角に延びている。立ち上げ片の先端部は折返されている。折り返し片は基片の他端に連なり、基片に対してほぼ４５°傾いている。折り返し片には立ち上げ片の先端部を受け入れる係止孔が形成されている。また、折り返し片の一端には基片の一端に形成された突片と噛み合う突片が形成されている。複数の端子板は端子ボックス内に並べられた状態で端子ボックスに固定されている。
【０００５】
端子板にバイパスダイオード（電子部品）又は太陽光発電モジュール（接続対象物）の電極（接触部）を接続するには、立ち上げ片の先端部が折り返し片の係止孔に挿入されていない状態のときに、基片の一端に形成された突片上にパイパスダイオードの端子足又は太陽光発電モジュールの電極を置く。その後、折り返し片の一端を基片の方へ押して折り返し片の突片と基片の突片とで端子足又は電極を挟む。このとき、立ち上げ片の先端部が相対的に折り返し片の係止孔に挿入され、立ち上げ片の先端部が折り返し片の係止孔の周縁に引っ掛かり、折り返し片が固定された状態になる。以上のようにして端子板にバイパスダイオード又は太陽光発電モジュールが接続される。
【先行技術文献】
【特許文献】
【０００６】
【特許文献１】特開２００２−３５９３８９号公報（段落００１４〜００１６、図６）
【発明の概要】
【発明が解決しようとする課題】
【０００７】
上述の３つの一体化された端子板では、バイパスダイオードの一つの端子足を接続するのに１つの端子板を必要とする。端子板の幅はバイパスダイオードの端子足の幅よりもかなり大きい。このため、２以上のバイパスダイオードを接続する場合、３つの一体化された端子板をその幅方向へ複数個並べなければならず、太陽光発電モジュール配線用端子ボックスの幅寸法が大きくなってしまう。
【０００８】
この発明はこのような事情に鑑みてなされたもので、その課題は接続装置の小型化を図ることである。
【課題を解決するための手段】
【０００９】
上述の課題を解決するため請求項１記載の発明のコンタクトは、接続対象物の接触部が接触する平板状のベース部と、前記ベース部の両側縁に立ち上がるように設けられ、所定方向で相対する一対の支持部とを備え、前記一対の支持部に、電子部品の端子部を支持するスリットがそれぞれ設けられていることを特徴とする。
【００１０】
上述のように、コンタクトは、接続対象物の接触部が接触する平板状のベース部と、このベース部の両側縁に立ち上がるように設けられ、所定方向で相対する一対の支持部とを備えており、この一対の支持部にそれぞれ設けられたスリットで電子部品の端子部を支持するので、コンタクトの幅を小さくすることができる。
【００１１】
請求項２記載の発明は、請求項１記載のコンタクトにおいて、前記ベース部と対向するように配置され、前記ベース部に向かって弾性変形して前記接触部を前記ベース部に押圧する押圧部と、前記ベース部の一端部と前記押圧部の一端部とを連結する連結部と、前記押圧部が前記ベース部に向かって弾性変形したときその押圧部の他端部が係合し、その変形状態を維持させる係合部とを備え、前記押圧部が前記ベース部に向かって弾性変形したときその押圧部の中間部が前記ベース部上の前記接触部に接触するように前記押圧部が湾曲し、前記押圧部が、前記所定方向で分断されていることを特徴とする。
【００１２】
請求項３記載の発明は、請求項２記載のコンタクトにおいて、前記ベース部上の前記接触部を目視可能にする窓が前記押圧部に設けられていることを特徴とする。
【００１３】
請求項４記載の発明は、請求項１〜３のいずれか１項記載のコンタクトにおいて、他の接続対象物に圧着される圧着部を備えていることを特徴とする。
【００１４】
請求項５記載の発明の接続装置は、少なくとも２つの請求項４記載のコンタクトと、それらのコンタクトを保持するハウジングとを備えていることを特徴とする。
【００１５】
請求項６記載の発明の接続装置は、少なくとも１つの請求項１〜３のいずれか１項記載のコンタクトと、２つの請求項４記載のコンタクトと、それらのコンタクトを保持するハウジングとを備え、前記２つの請求項４記載のコンタクトの間に、前記少なくとも１つの請求項１〜３のいずれか１項記載のコンタクトが配置されていることを特徴とする。
【発明の効果】
【００１６】
この発明によれば、接続装置の小型化を図ることができる。
【図面の簡単な説明】
【００１７】
【図１】図１はこの発明の第１実施形態の接続装置の斜視図である。
【図２】図２は図１に示す接続装置の平面図である。
【図３】図３は図１に示す接続装置の正面図である。
【図４】図４は図１に示す接続装置の第１コンタクトの斜視図である。
【図５】図５は図４に示す第１コンタクトを別の角度から見た斜視図である。
【図６】図６は図４に示す第１コンタクトの平面図である。
【図７】図７は図４に示す第１コンタクトの側面図である。
【図８】図８は図１に示す接続装置の第２コンタクトの斜視図である。
【図９】図９は図８に示す第２コンタクトを別の角度から見た斜視図である。
【図１０】図１０は図８に示す第２コンタクトの平面図である。
【図１１】図１１は図８に示す第２コンタクトの側面図である。
【図１２】図１２は第１コンタクトの他端部が係合部に係合していないときの図２のＡ−Ａ線に沿う断面図である。
【図１３】図１３は第１コンタクトの他端部が係合部に係合しているときの図２のＡ−Ａ線に沿う断面図である。
【図１４】図１４はこの発明の第２実施形態の接続装置の第１コンタクトの斜視図である。
【図１５】図１５はこの発明の第２実施形態の接続装置の第２コンタクトの斜視図である。
【発明を実施するための形態】
【００１８】
以下、この発明の実施の形態を図面に基づいて説明する。
【００１９】
この発明の第１実施形態の接続装置を図１〜図１３に基づいて説明する。
【００２０】
図１〜図３に示すように、接続装置１００は２つの第１コンタクト３０と２つの第２コンタクト５０とハウジング７０とを備える。接続装置１００は図示しない太陽光発電モジュールの裏面に装着される。
【００２１】
図４〜図７に示すように、第１コンタクト３０はベース部３１と一対の支持部３２と押圧部３３と連結部３４と一対の係合部３５と圧着部３６とを有する。第１コンタクト３０は第２コンタクト５０とともに、一つの金属板に打抜き加工及び曲げ加工を施すことによって形成されている。
【００２２】
ベース部３１は平板状である。ベース部３１の後部（図６に向かって上が第１コンタクト３０の後、下が第１コンタクト３０の前である。）の両側縁にはそれぞれ圧入片３１ａが形成されている。
【００２３】
支持部３２はベース部３１の前部の両側縁からそれぞれ立ち上がっている。支持部３２の板厚方向はベース部３１の板厚方向に対してほぼ直交し、また、第１、第２コンタクト３０，５０の配置方向とほぼ平行である。支持部３２にはスリット３２ａが形成されている。スリット３２ａはベース部３１の板厚方向へ延びている。
【００２４】
押圧部３３は板状であり、ベース部３１に対向する。押圧部３３の一端部は連結部３４に連なる。押圧部３３はベース部３１に向かって弾性変形可能である。押圧部３３の他端部の両側縁には突出片３３ａが形成されている。押圧部３３の他端部には窓３３ｃが形成されている。押圧部３３の中間部３３ｂはベース部３１の方へ近づくように湾曲している。
【００２５】
連結部３４は押圧部３３をベース部３１の一端部に連結する。連結部３４は第１連結片３４ａと第２連結片３４ｂと第３連結片３４ｃとを有する。第１連結片３４ａはベース部３１の一端部の一側縁から立ち上がっている。第１連結片３４ａはベース部３１に対してほぼ直角である。第２連結片３４ｂの一端は第１連結片３４ａの上端に連なる。第２連結片３４ｂは第１連結片３４ａに対してほぼ直角である。第３連結片３４ｃはベース部３１の一端部の他側縁から立ち上がっている。第３連結片３４ｃはベース部３１に対してほぼ直角である。連結部３４ｃの上端は第２連結片３４ｂの他端に突き合わされる。
【００２６】
係合部３５はベース部３１の中央部の両側縁からそれぞれ立ち上がっている。係合部３５の板厚方向はベース部３１の板厚方向に対してほぼ直交し、また、第１、第２コンタクト３０，５０の配置方向とほぼ平行である。係合部３５には孔３５ａが形成されている。
【００２７】
圧着部３６は圧着片３６ａと連結片３６ｂと一対の係合片３６ｃとを有する。圧着片３６ａはＵ字形に折り曲げられている。連結片３６ｂは圧着片３６ａをベース部３１に連結する。係合片３６ｃは連結片３６ｂの両側縁にそれぞれ形成されている。
【００２８】
図８〜図１１に示すように、第２コンタクト５０はベース部５１と一対の支持部５２と押圧部５３と連結部５４と一対の係合部５５とを有する。
【００２９】
ベース部５１は平板状である。ベース部５１の後部（図１０に向かって上が第２コンタクト５０の後、下が第２コンタクト５０の前である。）の両側縁にはそれぞれ圧入片５１ａが形成されている。ベース部５１の前部の両側縁にはそれぞれ係合片５１ｂが形成されている。
【００３０】
支持部５２はベース部５１の前部の両側縁からそれぞれ立ち上がっている。支持部５２の板厚方向はベース部５１の板厚方向に対してほぼ直交し、また、第１、第２コンタクト３０，５０の配置方向とほぼ平行である。支持部５２にはスリット５２ａが形成されている。スリット５２ａはベース部５１の板厚方向へ延びている。
【００３１】
押圧部５３は板状であり、ベース部５１に対向する。押圧部５３の一端部は連結部５４に連なる。押圧部５３はベース部５１に向かって弾性変形可能である。押圧部５３の他端部の両側縁には突出片５３ａが形成されている。押圧部５３の他端部には窓５３ｃが形成されている。押圧部５３の中間部５３ｂはベース部５１の方へ近づくように湾曲している。
【００３２】
連結部５４は押圧部５３をベース部５１の一端部に連結する。連結部５４は第１連結片５４ａと第２連結片５４ｂと第３連結片５４ｃとを有する。第１連結片５４ａはベース部５１の一端部の一側縁から立ち上がっている。第１連結片５４ａはベース部５１に対してほぼ直角である。第２連結片５４ｂの一端は第１連結片５４ａの上端に連なる。第２連結片５４ｂは第１連結片５４ａに対してほぼ直角である。第３連結片５４ｃはベース部５１の一端部の他側縁から立ち上がっている。第３連結片５４ｃはベース部５１に対してほぼ直角である。連結部５４ｃの上端は第２連結片５４ｂの他端に突き合わされる。
【００３３】
係合部５５はベース部５１の中央部の両側縁からそれぞれ立ち上がっている。係合部５５の板厚方向はベース部５１の板厚方向に対してほぼ直交し、また、第１、第２コンタクト３０，５０の配置方向とほぼ平行である。係合部５５には孔５５ａが形成されている。
【００３４】
ハウジング７０は絶縁材料で一体成形されている。図１〜図３に示すように、ハウジング７０は上面が開口した箱状である。（図１２に向かって上がハウジング７０の上、下がハウジング７０の下、左がハウジング７０の前、右がハウジング７０の後である。）ハウジング７０の開口は蓋体７８によって塞がれる。ハウジング７０の底面部７４の後部には挿入孔７４ａが形成されている。また、底面部７４の後部には複数の凸部７５が所定間隔に配置されている。凸部７５の前部は底面部７４に連結されている。凸部７５の後部と凸部７５の中央部との下方には空間７５ａが形成されている（図１２参照）。底面部７４の前部には複数のフック部７６，７６´が所定間隔に配置されている。フック部７６，７６´の前部は底面部７４に連結されている。
【００３５】
ハウジング７０の正面部７１には２つの円筒状の挿入部７１ａが形成されている。
【００３６】
次に、接続装置１００の使用方法を説明する。
【００３７】
まず、ケーブル９０を結線した第１コンタクト３０をハウジング７０内に固定し、また、第２コンタクト５０をハウジング７０内に固定する。
【００３８】
ケーブル９０を第１コンタクト３０に結線するには、ケーブル９０の一端部の導体９１を露出させ、ケーブル９０の一端部を挿入部７１ａを通じてハウジング７０内に挿入し、導体９１を第１コンタクト３０の圧着片３６ａ上に配置し、その後、ハウジング７０の外で圧着片３６ａを折り曲げて圧着片３６ａに導体９１を保持させればよい（図１２参照）。
【００３９】
第１、第２コンタクト３０，５０をハウジング７０内に固定するには、第１、第２コンタクト３０，５０の圧入片３１ａ，５１ａを凸部７５の下方の空間７５ａに挿入するとともに、第１コンタクト３０の係合片３６ｃをフック部７６に、第２コンタクト５０の係合片５１ｂをフック部７６´にそれぞれ引っ掛ければよい（図２参照）。
【００４０】
次に、ダイオード８０を、図２に示すように、左端（図２に向かって左の端）の第１コンタクト３０とそれに隣接する第２コンタクト５０との間と、ハウジング７０の中央部の２つの第２コンタクト５０の間と、右端の第１コンタクト３０とそれに隣接する第２コンタクト５０との間とに、それぞれ配置する。
【００４１】
左端の第１コンタクト３０とそれに隣接する第２コンタクト５０との間とにダイオード８０を配置するとき、ダイオード８０の一方の端子部８１は第１コンタクト３０の支持部３２のスリット３２ａに挿入され、ダイオード８０の他方の端子部８１は第２コンタクト５０の支持部５２のスリット５２ａに挿入される。これにより、左端のダイオード８０はその両側の第１コンタクト３０と第２コンタクト５０とに電気的に接続される。
【００４２】
ハウジング７０の中央部の２つの第２コンタクト５０の間にダイオード８０を配置するとき、ダイオード８０の一方の端子部８１は左側の第２コンタクト５０の支持部５２のスリット５２ａに挿入され、ダイオード８０の他方の端子部８１は右側の第２コンタクト５０の支持部５２のスリット５２ａに挿入される。これにより、中央のダイオード８０はその両側の第２コンタクト５０に電気的に接続される。
【００４３】
右端の第１コンタクト３０とそれに隣接する第２コンタクト５０との間とにダイオード８０を配置するとき、ダイオード８０の一方の端子部８１は第２コンタクト５０の支持部５２のスリット５２ａに挿入され、ダイオード８０の他方の端子部８１は第１コンタクト３０の支持部３２のスリット３２ａに挿入される。これにより、右端のダイオード８０はその両側の第１コンタクト３０と第２コンタクト５０とに電気的に接続される。
【００４４】
次に、太陽光発電モジュールの４つの電極９５（電極９５にはそれぞれ太陽光発電モジュール側のダイオード（図示せず）が接続されている）と第１、第２コンタクト３０，５０とを接続する。その接続作業の前に、第１コンタクト３０の押圧部３３の突出片３３ａを係合部３５の孔３５ａから外しておく（図５参照）。同様に、第２コンタクト５０の押圧部５３の突出片５３ａを係合部５５ａから外しておく（図９参照）。
【００４５】
４つの電極９５と第１、第２コンタクト３０，５０とを接続するには、まず、４つの電極９５（図１参照）をハウジング７０の挿入孔７４ａを通じてハウジング７０内に挿入する。
【００４６】
次に、電極９５を第１コンタクト３０のベース部３１と押圧部３３との間や第２コンタクト５０のベース部５１と押圧部５３との間に挿入する。
【００４７】
その後、第１コンタクト３０の押圧部３３の他端部を押圧して押圧部３３の突出片３３ａを係合部３５の孔３５ａに挿入する（図１３参照）。これにより、押圧部３３の中間部３３ｂが電極９５をベース部３１に押し付け、電極９５が第１コンタクト３０に導通する。
【００４８】
同様に、第２コンタクト５０の押圧部５３の他端部を押圧して押圧部５３の突出片５３ａを係合部５５の孔５５ａに挿入する。これにより、押圧部５３の中間部５３ｂが電極９５をベース部５１に押し付け、電極９５が第２コンタクト５０に導通する。
【００４９】
最後に、ハウジング７０を太陽光発電モジュールの裏面に固定し、ハウジング７０に蓋体７８を装着する。
【００５０】
この実施形態によれば、第１、第２コンタクト３０，５０が、太陽光発電モジュールの電極９５が接触する平板状のベース部３１，５１と、ベース部３１，５１の両側縁に立ち上がるように設けられ、所定方向で相対する一対の支持部３２，５２とを備えており、一対の支持部３２，５２にそれぞれ設けられたスリット３２ａ，５２ａでダイオード８０の端子部８１を支持するので、第１、第２コンタクト３０，５０の幅を小さくすることができる。その結果、複数の第１コンタクト３０と第２コンタクト５０とを並べた接続装置１００の幅を小さくすることができる。
【００５１】
また、第１，第２コンタクト３０，５０の一端部を連結部３４，５４に連結し、押圧部３３，５３の中間部３３ｂ，５３ｂで電極９５をベース部３１，５１に押し付け、押圧部３３，５３の他端部を操作するようにしたので、梃子の原理によって小さな力で押圧部３３，５３を操作することができる。
【００５２】
更に、押圧部３３，５３に形成された窓３３ｃ，５３ｃによって電極９５の位置を確認できるので、電極９５をベース部３１，５１と押圧部３３，５３との間に通す作業を容易に行うことができる。
【００５３】
この発明の第２実施形態の接続装置を図１４、図１５に基づいて説明する。第１実施形態と共通する部分については同一符号を付して、その説明を省略する。
【００５４】
第２実施形態の接続装置は第１、第２コンタクト２３０，２５０の構成が第１実施形態の接続装置１００の第１、第２コンタクト３０，５０の構成と少し異なる。
【００５５】
図１４に示すように、第１コンタクト２３０の押圧部２３３は第１押圧片２３３ｄと第２押圧片２３３ｅとで構成されている。
【００５６】
連結片２３４は第１連結片２３４ａと第２連結片２３４ｂと第３連結片２３４ｃと第４連結片２３４ｄとで構成されている。
【００５７】
第１連結片２３４ａはベース部３１の一端部の一側縁から立ち上がっている。第１連結片２３４ａはベース部３１に対してほぼ直角である。第２連結片２３４ｂの一端は第１連結片２３４ａの上端に連なる。第２連結片２３４ｂは第１連結片２３４ａに対してほぼ直角である。第２連結片２３４ｂに第１押圧片２３３ｄが連なっている。第３連結片２３４ｃはベース部３１の一端部の他側縁から立ち上がっている。第３連結片２３４ｃはベース部３１に対してほぼ直角である。第４連結片２３４ｄの一端は第３連結片２３４ｃの上端に連なる。第４連結片２３４ｄは第３連結片２３４ｃに対してほぼ直角である。第４連結片２３４ｄの他端は第２連結片２３４ｂの他端に突き合わされる。第４連結片２３４ｄに第２押圧片２３３ｅが連なっている。
【００５８】
図１５に示すように、第２コンタクト２５０の押圧部２５３は第１押圧片２５３ｄと第２押圧片２５３ｅとで構成されている。
【００５９】
連結片２５４は第１連結片２５４ａと第２連結片２５４ｂと第３連結片２５４ｃと第４連結片２５４ｄとで構成されている。
【００６０】
第１連結片２５４ａはベース部５１の一端部の一側縁から立ち上がっている。第１連結片２５４ａはベース部５１に対してほぼ直角である。第２連結片２５４ｂの一端は第１連結片２５４ａの上端に連なる。第２連結片２５４ｂは第１連結片２５４ａに対してほぼ直角である。第２連結片２５４ｂに第１押圧片２５３ｄが連なっている。第３連結片２５４ｃはベース部５１の一端部の他側縁から立ち上がっている。第３連結片２５４ｃはベース部５１に対してほぼ直角である。第４連結片２５４ｄの一端は第３連結片２５４ｃの上端に連なる。第４連結片２５４ｄは第３連結片２５４ｃに対してほぼ直角である。第４連結片２５４ｄの他端は第２連結片２５４ｂの他端に突き合わされる。第４連結片２５４ｄに第２押圧片２５３ｅが連なっている。
【００６１】
第２実施形態によれば、第１実施形態の効果と同様の効果を奏するとともに、第１、第２コンタクト２３０，２５０の押圧部２３３，２５３に電極９５に対する接点がそれぞれ２つ形成されるので、接触安定性が向上する。
【００６２】
なお、上述の実施形態では、押圧部３３，２３３，５３，２５３に窓３３ｃ，５３ｃを形成したが、窓３３ｃ，５３ｃはなくてもよい。
【００６３】
また、上述の実施形態では、ハウジング７０に２つの第１コンタクト３０，３０と２つの第２コンタクト５０，５０（又は２つの第１コンタクト３０，３０と２つの第２コンタクト２５０，２５０）とが収容されているが、太陽光発電モジュールの電極９５の数によっては、ハウジングに２つの第１コンタクト３０，３０（又は２つの第１コンタクト２３０，２３０）だけが収容されることもある。更に、第１実施形態の第１、第２コンタクト３０，５０と第２実施形態の第１、第２コンタクト２３０，２５０とを適宜組合せてもよい。
【００６４】
また、上述の実施形態の接続装置は太陽光発電モジュール用の接続装置であるが、この発明の接続装置は太陽光発電モジュール用に限られない。したがって、ハウジング７０内に配置される電子部品もダイオードに限られない。
【符号の説明】
【００６５】
１００  接続装置
３０，２３０  第１コンタクト
３１  ベース部
３２  支持部
３２ａ  スリット
３３，２３３  押圧部
３３ｂ  中間部
３３ｃ  窓
３４，２３４  連結部
３５  係合部
３６  圧着部
５０，２５０  第２コンタクト
５１  ベース部
５２  支持部
５２ａ  スリット
５３，２５３  押圧部
５３ｂ  中間部
５３ｃ  窓
５４，２５４  連結部
５５  係合部
７０  ハウジング
８０  ダイオード（電子部品）
８１  端子部
９０  ケーブル（他の接続対象物）
９５  電極（接続対象物の接触部）
【図１】
2011082007.tif 000003
【図２】
2011082007.tif 000004
【図３】
2011082007.tif 000005
【図４】
2011082007.tif 000006
【図５】
2011082007.tif 000007
【図６】
2011082007.tif 000008
【図７】
2011082007.tif 000009
【図８】
2011082007.tif 000010
【図９】
2011082007.tif 000011
【図１０】
2011082007.tif 000012
【図１１】
2011082007.tif 000013
【図１２】
2011082007.tif 000014
【図１３】
2011082007.tif 000015
【図１４】
2011082007.tif 000016
【図１５】
2011082007.tif 000017